(57)【要約】【課題】表示部の外力からの保護機能及び防塵機能を兼用することで、組立性の向上及び部品点数の削減を可能にすること。【解決手段】筐体１０２内に保持されたホルダ２０３には、表示部２０１を包んだ状態の弾性部材２０２を収容する凹部２０４が背面側に設けられ、表示部３０１を包んだ状態の弾性部材３０２を収容する凹部３０３が前面側に設けられている。弾性部材２０２、３０２は、各々、液晶表示部２０１、３０１の周囲全域を包んでおり又、筐体１０２の内面との間に間隙が生じないように筐体１０２の内面に圧接し、液晶表示部２０１、３０１の保護機能及び防塵機能を果たしている。【選択図】　図１
2004023610.tif 000002
【特許請求の範囲】
【請求項１】
表示部を有すると共に、前記表示部の表示領域が外部から視認可能なように筐体に保持して成る携帯型通信装置において、
少なくとも前記表示領域を除いて前記表示部を包む弾性部材と、前記弾性部材によって包まれた状態の表示部を保持するホルダとを備え、前記ホルダに保持された状態の表示部を、前記表示領域が外部から視認可能なように前記筐体に保持して成ることを特徴とする携帯型通信装置。
【請求項２】
前記ホルダには前記表示部を包んだ状態の前記弾性部材を収容する凹部が設けられて成り、前記表示部は前記弾性部材とともに前記凹部内に収容されて成ることを特徴とする請求項１記載の携帯型通信装置。
【請求項３】
前記弾性部材は、前記表示部の周囲全域を包むと共に、前記筐体の内面との間に間隙が生じないように前記筐体の内面に当接して成ることを特徴とする請求項２記載の携帯型通信装置。
【請求項４】
前記弾性部材の代わりに、発泡部材を用いて成ることを特徴とする請求項１乃至３のいずれか一に記載の携帯型通信装置。
【請求項５】
前記筐体は、ヒンジによって相互に回転可能に連結された第１、第２の筐体によって構成され、
前記第１の筐体には受話部、第１の表示部及び第２の表示部が設けられると共に、前記第１の表示部は前記筐体外部から視認可能で、前記第２の表示部は前記第１、第２の筐体が閉じた状態で前記第２の筐体に対面するように配設され、
前記第２の筐体には送話部及びキー入力部が設けられ、
前記ホルダには、前記第１の表示部を包んだ状態の第１の弾性部材を収容する第１の凹部が第１の面に設けられると共に、前記第２の表示部を包んだ状態の第２の弾性部材を収容する第２の凹部が前記第１の面の裏面である第２の面に設けられ、
前記ホルダは前記第１の筐体内に配設されていることを特徴とする請求項１乃至４のいずれか一に記載の携帯型通信装置。
【請求項６】
前記表示部は液晶表示部であることを特徴とする請求項１乃至５のいずれか一に記載の携帯型通信装置。
【発明の詳細な説明】
【０００１】
【発明の属する技術分野】
本発明は、携帯電話機等の携帯型通信装置に関する。
【０００２】
【従来の技術】
従来から、携帯電話機、ＰＨＳ（パーソナル・ハンディホン・システム）、携帯情報端末（ＰＤＡ（Ｐｅｒｓｏｎａｌ　Ｄｉｇｉｔａｌ　Ａｓｓｉｓｔａｎｔｓ））等の携帯型通信装置が利用されている。前記携帯型通信装置には、液晶表示部（ＬＣＤ）等の表示部を備えるように構成されている。
近年の携帯型通信装置は無線機器としてよりもメールツールであったり、着信音、待受画面をはじめとしたインターネット接続する情報端末として使用される傾向にある。
【０００３】
図６は従来の携帯電話機の構成要素を示す斜視図、図７及び図８は図６に示した構成要素の分解斜視図、図９は従来の携帯電話機の部分側断面図であり、各図において同一部分には同一符号を付している。
携帯電話機は、ヒンジによって相互に回転可能に連結された２つの筐体を有しており、図６〜図９は一方の筐体に含まれる構成要素の斜視図及び該一方の筐体の断面図である。
【０００４】
図６〜図９において、６０１、７０２は防塵クッション、６０２は背面の液晶表示部、６０３はホルダ、７０１、７０４は両面テープ、７０３は前面の液晶表示部、９０１は背面表示窓部、９０２は前面表示窓部、９０３は背面ケース部材、９０４は前面ケース部材である。尚、防塵クッション６０１は背面ケース部材９０３に固着されるように構成されているため、図６には防塵クッション６０１は描いていない。
液晶表示部６０２、７０３を筐体内に固定するために、液晶表示部６０２、７０３をＡＢＳなどの樹脂製ホルダ６０３にはめ込み、両面テープ７０１、７０４等で貼付している。液晶表示部６０２の表示は表示窓部９０１を介して視認され又、液晶表示部７０３の表示は表示窓部９０２を介して視認される。
【０００５】
【発明が解決しようとする課題】
表示装置の表示画面はカラー化、大画面化しているものの、携帯端末機器自体は小型化、薄型化が必要とされている。携帯型通信装置には、小型化、薄型化に伴い、組立性の向上等が要請されるようになってきている。
また、携帯型通信装置は日常持ち歩くものであるため、衝撃などを受けやすく又、塵埃が侵入する可能性も高いため、小型でＬＣＤ等の表示部を保護することが非常に困難になってきている。
【０００６】
従来の携帯電話機においては、前述したように、液晶表示部６０２、７０３を筐体内に固定するために、液晶表示部６０２、７０３をＡＢＳなどの樹脂製ホルダ６０３にはめ込み、両面テープ７０１、７０４等で貼付している。
したがって、携帯電話機を落下させたり外力が加わると、筐体からホルダに衝撃や荷重が伝わり、液晶表示部６０２、７０３や液晶表示部６０２、７０３を駆動するドライバが割れるなどの強度的な問題がある。
【０００７】
本発明は、表示部の外力からの保護機能及び防塵機能を兼用することで、組立性の向上及び部品点数の削減を可能にすることを課題としている。
【０００８】
【課題を解決するための手段】
本発明によれば、表示部を有すると共に、前記表示部の表示領域が外部から視認可能なように筐体に保持して成る携帯型通信装置において、少なくとも前記表示領域を除いて前記表示部を包む弾性部材と、前記弾性部材によって包まれた状態の表示部を保持するホルダとを備え、前記ホルダに保持された状態の表示部を、前記表示領域が外部から視認可能なように前記筐体に保持して成ることを特徴とする携帯型通信装置が提供される。弾性部材によって包まれた状態の表示部をホルダに保持し、前記ホルダに保持した状態の表示部を、その表示領域が外部から視認可能なように筐体に保持する。
【０００９】
ここで、前記ホルダには前記表示部を包んだ状態の前記弾性部材を収容する凹部が設けられて成り、前記表示部は前記弾性部材とともに前記凹部内に収容されて成るように構成してもよい。
また、前記弾性部材は、前記表示部の周囲全域を包むと共に、前記筐体の内面との間に間隙が生じないように前記筐体の内面に当接して成るように構成してもよい。
また、前記弾性部材の代わりに、発泡部材を用いて成るように構成してもよい。
【００１０】
また、前記筐体は、ヒンジによって相互に回転可能に連結された第１、第２の筐体によって構成され、前記第１の筐体には受話部、第１の表示部及び第２の表示部が設けられると共に、前記第１の表示部は前記筐体外部から視認可能で、前記第２の表示部は前記第１、第２の筐体が閉じた状態で前記第２の筐体に対面するように配設され、前記第２の筐体には送話部及びキー入力部が設けられ、前記ホルダには、前記第１の表示部を包んだ状態の第１の弾性部材を収容する第１の凹部が第１の面に設けられると共に、前記第２の表示部を包んだ状態の第２の弾性部材を収容する第２の凹部が前記第１の面の裏面である第２の面に設けられ、前記ホルダは前記第１の筐体内に配設されているように構成してもよい。
また、前記表示部は液晶表示部であるように構成してもよい。
【００１１】
【発明の実施の形態】
図１は、本発明の実施の形態に携帯型通信装置を示す斜視図であり、折り畳み式携帯電話機の例を示している。
図２は図１に示した携帯電話機の構成要素を示す斜視図、図３及び図４は図２に示した構成要素の分解斜視図、図５は図１に示した携帯電話機の部分側断面図であり、各図において同一部分には同一符号を付している。
【００１２】
図１〜図５において、携帯電話機１０１は、ヒンジ１０４によって相互に回転可能に連結された第１の筐体１０２、第２の筐体１０３を有している。
第１の筐体１０２には、受話部（図示せず）、第１の液晶表示部２０１（第１の表示部）及び第２の液晶表示部３０１（第２の表示部）が設けられている。筐体１０２は、筐体１０２、１０３を折り畳んだ状態（閉じた状態）で外側に露出する背面ケース部１０８、筐体１０２、１０３を折り畳んだ状態で筐体１０３に対面する前面ケース部１０９を有している。
【００１３】
筐体１０２は、第１の液晶表示部２０１を視認可能なように被う背面表示窓部１０５、アンテナ１０７を摺動可能に収容するアンテナ収容部１０６を有しており又、第２の液晶表示部３０１を視認可能なように被う前面表示窓部５０１を有している。
第１の液晶表示部２０１は、第１、第２の筐体１０２、１０３が相互に折り畳まれた状態（閉じた状態）でも筐体１０２外部に露出し、第２の液晶表示部３０１は第１、第２の筐体が閉じた状態では前記第２の筐体に対面して外部から見えなくなる位置に設けられている。
【００１４】
第２の筐体１０３には、送話部及びキー入力部（いずれも図示せず）が設けられている。
筐体１０２内にはホルダ２０３が保持されている。ホルダ２０３には、第１の表示部２０１を包んだ状態の第１の弾性部材２０２を収容する第１の凹部２０４が第１の面２０５に設けられ、第２の表示部３０１を包んだ状態の第２の弾性部材３０２を収容する第２の凹部３０３が第１の面２０５の裏面である第２の面３０４に設けられている。
【００１５】
弾性部材２０２、３０２は、各々、弾性体によって形成されており、各液晶表示部２０１、３０１の厚みよりも厚さの厚い枠体構造に構成されている。弾性部材２０２、３０２は、各々、少なくとも各液晶表示部２０１、３０１の表示領域を除いて液晶表示部２０１、３０１の周囲全域を包んでいる。また、弾性部材２０２、３０２は、各液晶表示部２０１、３０１の周囲全域を包むと共に、筐体１０２の内面との間に間隙が生じないように筐体１０２の内面に圧接している。これにより、弾性部材２０２、３０２は、各々、液晶表示部２０１、３０１の周囲全域を包んでおり又、筐体１０２の内面との間に間隙が生じないように筐体１０２の内面に圧接し、液晶表示部２０１、３０１の保護機能及び防塵機能を果たしている。
【００１６】
液晶表示部２０１の表示は表示窓部１０５を介して視認され又、液晶表示部３０１の表示は表示窓部５０１を介して視認される。液晶表示部２０１の表示は、筐体１０２、１０３を折り畳んだ状態か否かとは無関係に表示窓部１０５を介して視認される。液晶表示部３０１の表示は、筐体１０２、１０３を折り畳んだ状態では筐体１０２、１０３間に挟まれて視認できず、筐体１０２、１０３を開いた状態では視認可能になる。
【００１７】
以上のように、本実施の形態に係る携帯型通信装置は、表示部を有すると共に、前記表示部の表示領域が外部から視認可能なように筐体に保持して成る携帯型通信装置において、少なくとも表示領域を除いて表示部２０１、３０１を包む弾性部材２０２、３０２と、弾性部材２０２、３０２によって包まれた状態の表示部を保持するホルダ２０３とを備え、ホルダ２０３に保持された状態の表示部２０１、３０１を、前記表示領域が外部から視認可能なように筐体１０２に保持して成ることを特徴としている。
【００１８】
また、液晶表示部２０１、３０１の周囲全域を各々弾性部材２０２、３０２で包み、ホルダ２０３の凹部２０４、３０３に圧入して保持するようにしている。また、筐体１０２、１０３は、ヒンジによって相互に回転可能に連結された第１、第２の筐体１０２、１０３によって構成され、第１の筐体１０２には受話部、第１の表示部２０１及び第２の表示部３０１が設けられると共に、第１の表示部２０１は第１の筐体１０２外部から視認可能で、第２の表示部３０１は第１、第２の筐体１０２、１０３が閉じた状態で第２の筐体１０３に対面するように配設され、第２の筐体１０３には送話部及びキー入力部が設けられ、ホルダ２０３には、第１の表示部２０１を包んだ状態の第１の弾性部材２０２を収容する第１の凹部２０４が第１の面２０５に設けられると共に、第２の表示部３０１を包んだ状態の第２の弾性部材３０２を収容する第２の凹部３０３が第１の面２０５の裏面である第２の面３０４に設けられ、ホルダ２０３は第１の筐体１０２内に配設されていることを特徴としている。
【００１９】
これにより、液晶表示部２０１、３０１や液晶表示部２０１、３０１を駆動するドライバを衝撃や外力から保護することが可能になる、また、弾性部材２０２、３０２を介してホルダ２０３に圧入するので、両面テープなどの部品が削減でき、解体性も向上する。
また、弾性部材２０２、３０２は、表示部２０１、３０１の周囲全域を包むと共に、筐体１０２の内面との間に間隙が生じないように筐体１０２の内面に圧接するように構成されているため、液晶表示部２０１、３０１を保持する弾性部材２０２、３０２が液晶表示部２０１、３０１と筐体１０２を密閉することで防塵効果を得ることができ、防塵クッションを削除することが可能となる。
【００２０】
尚、弾性を有する弾性部材２０２、３０２の代わりに、発泡部材を用いることも可能である。
また、液晶表示部２０１、３０１の代わりにＥＬ等の各種表示部を用いることが可能である。
また、本実施の形態では、折り畳み式の携帯型通信装置の例で説明したが、折り畳まない方式の携帯型通信装置にも適用でき、又、ＰＨＳ（パーソナルハンディホンシステム）、携帯情報端末（ＰＤＡ（Ｐｅｒｓｏｎａｌ　Ｄｉｇｉｔａｌ　Ａｓｓｉｓｔａｎｔｓ））等の携帯型通信装置にも適用可能である。
【００２１】
【発明の効果】
本発明によれば、表示部の外力からの保護機能及び防塵機能を兼用することで、組立性の向上及び部品点数の削減が可能になる。
【図面の簡単な説明】
【図１】本発明の実施の形態に係る携帯型通信装置の斜視図である。
【図２】本発明の実施の形態に係る携帯型通信装置の構成要素を示す斜視図である。
【図３】本発明の実施の形態に係る携帯型通信装置の構成要素を示す分解斜視図である。
【図４】本発明の実施の形態に係る携帯型通信装置の構成要素を示す分解斜視図である。
【図５】本発明の実施の形態に係る携帯型通信装置の構成要素を示す部分側断面図である。
【図６】従来の携帯電話機の構成要素を示す斜視図である。
【図７】従来の携帯電話機の構成要素を示す分解斜視図である。
【図８】従来の携帯電話機の構成要素を示す分解斜視図である。
【図９】従来の携帯電話機の構成要素を示す部分側断面図である。
【符号の説明】
１０１・・・携帯型通話装置としての折り畳み式携帯電話機
１０２・・・第１の筐体
１０３・・・第２の筐体
１０４・・・ヒンジ
１０５・・・背面表示窓部
１０６・・・アンテナ収容部
１０７・・・アンテナ
１０８・・・背面ケース部
１０９・・・前面ケース部
２０１・・・第１の表示部としての第１の液晶表示部
２０２・・・第１の弾性部材
２０４・・・第１の凹部
２０５・・・第１の面
３０１・・・第２の表示部としての第２の液晶表示部
３０２・・・第２の弾性部材
３０３・・・第２の凹部
３０４・・・第２の面
５０１・・・正面表示窓部
【図１】
2004023610.tif 000003
【図２】
2004023610.tif 000004
【図３】
2004023610.tif 000005
【図４】
2004023610.tif 000006
【図５】
2004023610.tif 000007
【図６】
2004023610.tif 000008
【図７】
2004023610.tif 000009
【図８】
2004023610.tif 000010
【図９】
2004023610.tif 000011